(57)【要約】【課題】  ツインパネル構成において、表示頻度が高くなる低解像度側パネルの低消費電力化を図る。【解決手段】  表示装置は、サブパネル１０と、各ソースバスライン１６がサブパネル１０の対応するソースバスライン１６と接続され、サブパネル１０よりも画素数が多いメインパネル２０と、表示駆動回路とを備える。表示駆動回路は、ゲートバスライン１４，２４にゲート信号を供給し、かつソースバスライン１６に表示データ信号を供給する画素電極への書き込み動作において、１垂直期間をサブパネル１０とメインパネル２０とで同一とした場合にサブパネル１０の各画素電極への書き込み時間として設定し得る最大書き込み時間よりも短い時間にてサブパネル１０の各画素電極への書き込みを行う。【選択図】  図１
2005258219.tif 000002
【特許請求の範囲】
【請求項１】
複数のゲート信号線、複数のソース信号線、これらゲート信号線とソース信号線との各交差部近傍に配置され、スイッチング動作の制御端子が前記ゲート信号線に接続されたスイッチング手段、および前記スイッチング手段を介して前記ソース信号線と接続された画素電極を有する第１の表示手段と、
それぞれ複数の前記ゲート信号線、ソース信号線、スイッチング手段および画素電極を有し、各ソース信号線が第１の表示手段の対応するソース信号線と接続され、第１の表示手段よりも画素数が多い第２の表示手段と、
前記ゲート信号線に前記スイッチング手段をオン動作させるためのゲート信号を供給し、かつ前記ソース信号線に表示データ信号を供給することによる前記画素電極への書き込み動作を行い、この書き込み動作において、１垂直期間を第１の表示手段と第２の表示手段とで同一とした場合に第１の表示手段の各画素電極への書き込み時間として設定し得る最大書き込み時間よりも短い時間による短時間書き込み動作にて第１の表示手段の各画素電極への書き込みを行う表示駆動回路とを備えていることを特徴とする表示装置。
【請求項２】
複数のゲート信号線、複数のソース信号線、これらゲート信号線とソース信号線との各交差部近傍に配置され、スイッチング動作の制御端子が前記ゲート信号線に接続されたスイッチング手段、および前記スイッチング手段を介して前記ソース信号線と接続された画素電極を有する第１の表示手段と、
それぞれ複数の前記ゲート信号線、ソース信号線、スイッチング手段および画素電極を有し、各ソース信号線が第１の表示手段の対応するソース信号線と接続され、第１の表示手段よりも画素数が多い第２の表示手段と、
前記ゲート信号線に前記スイッチング手段をオン動作させるためのゲート信号を供給し、かつ前記ソース信号線に表示データ信号を供給することによる前記画素電極への書き込み動作を行い、この書き込み動作において、第２の表示手段の各画素電極への書き込みと同じあるいはほぼ同じ時間による短時間書き込み動作にて第１の表示手段の各画素電極への書き込みを行う表示駆動回路とを備えていることを特徴とする表示装置。
【請求項３】
前記表示駆動回路は、第１の表示手段の各画素電極への前記短時間書き込み動作を１垂直期間内において連続して行い、１垂直期間内に書き込み休止期間を設けることを特徴とする請求項１または２に記載の表示装置。
【請求項４】
前記表示駆動回路は、１垂直期間を第１の表示手段と第２の表示手段とで同一とした場合に第１の表示手段に設定される１水平期間ごとに、第１の表示手段の各画素電極への前記短時間書き込み動作を行い、１水平期間内に書き込み休止期間を設けることを特徴とする請求項１または２に記載の表示装置。
【請求項５】
第１の表示手段は第２の表示手段と比較して表示頻度が高い状態で使用されることを特徴とする請求項１または２に記載の表示装置。
【請求項６】
前記表示駆動回路は、前記ゲート信号線にゲート信号を供給するゲート信号線駆動回路、および前記ソース信号線に表示データ信号を供給するソース信号線駆動回路を備え、前記ソース信号線駆動回路は第１の表示手段に設けられ、第２の表示手段へのゲート信号の供給は第１の表示手段のゲート信号線を介して行われることを特徴とする請求項１または２に記載の表示装置。
【請求項７】
第１の表示手段における１本のソース信号線に対して第２の表示手段における複数本のソース信号線が対応しており、第１の表示手段における１本のソース信号線の表示データ信号を、このソース信号線に対応する、第２の表示手段における複数本のソース信号線に対して順次時分割で切り替えて供給する時分割駆動手段を備えていることを特徴とする請求項６に記載の表示装置。
【請求項８】
前記表示駆動回路は、前記ゲート信号線にゲート信号を供給するゲート信号線駆動回路、および前記ソース信号線に表示データ信号を供給するソース信号線駆動回路を備え、前記ソース信号線駆動回路は第２の表示手段に設けられ、第１の表示手段へのゲート信号の供給は第２の表示手段のゲート信号線を介して行われることを特徴とする請求項１または２に記載の表示装置。
【請求項９】
第１の表示手段と第２の表示手段とは第１の筐体部に対して第２の筐体部を開閉可能な装置に設けられ、第１の表示手段は、第１の筐体部に対して第２の筐体部を閉じた折畳状態における第１または第２の筐体部の外面側に表示面を配して設けられ、第２の表示手段は、前記折畳状態における第１または第２の筐体部の内面側に表示面を配して設けられていることを特徴とする請求項１または２に記載の表示装置。
【請求項１０】
複数のゲート信号線、複数のソース信号線、これらゲート信号線とソース信号線との各交差部近傍に配置され、スイッチング動作の制御端子が前記ゲート信号線に接続されたスイッチング手段、および前記スイッチング手段を介して前記ソース信号線と接続された画素電極を有する第１の表示手段と、それぞれ複数の前記ゲート信号線、ソース信号線、スイッチング手段および画素電極を有し、各ソース信号線が第１の表示手段の対応するソース信号線と接続され、第１の表示手段よりも画素数が多い第２の表示手段とを備えた表示装置の駆動方法において、
前記ゲート信号線に前記スイッチング手段をオン動作させるためのゲート信号を供給し、かつ前記ソース信号線に表示データ信号を供給することによる前記画素電極への書き込み動作を行い、この書き込み動作において、１垂直期間を第１の表示手段と第２の表示手段とで同一とした場合に第１の表示手段の各画素電極への書き込み時間として設定し得る最大書き込み時間よりも短い時間による短時間書き込み動作にて第１の表示手段の各画素電極への書き込みを行うことを特徴とする表示装置の駆動方法。
【請求項１１】
複数のゲート信号線、複数のソース信号線、これらゲート信号線とソース信号線との各交差部近傍に配置され、スイッチング動作の制御端子が前記ゲート信号線に接続されたスイッチング手段、および前記スイッチング手段を介して前記ソース信号線と接続された画素電極を有する第１の表示手段と、それぞれ複数の前記ゲート信号線、ソース信号線、スイッチング手段および画素電極を有し、各ソース信号線が第１の表示手段の対応するソース信号線と接続され、第１の表示手段よりも画素数が多い第２の表示手段とを備えた表示装置の駆動方法において、
前記ゲート信号線に前記スイッチング手段をオン動作させるためのゲート信号を供給し、かつ前記ソース信号線に表示データ信号を供給することによる前記画素電極への書き込み動作を行い、この書き込み動作において、第２の表示手段の各画素電極への書き込みと同じあるいはほぼ同じ時間による短時間書き込み動作にて第１の表示手段の各画素電極への書き込みを行うことを特徴とする表示装置の駆動方法。
【請求項１２】
第１の表示手段の各画素電極への前記短時間書き込み動作を１垂直期間内において連続して行い、１垂直期間内に書き込み休止期間を設けることを特徴とする請求項１０または１１に記載の表示装置の駆動方法。
【請求項１３】
１垂直期間を第１の表示手段と第２の表示手段とで同一とした場合に第１の表示手段に設定される１水平期間ごとに、第１の表示手段の各画素電極への前記短時間書き込み動作を行い、１水平期間内に書き込み休止期間を設けることを特徴とする請求項１０または１１に記載の表示装置の駆動方法。
【請求項１４】
第１の表示手段は第２の表示手段と比較して表示頻度が高い状態で使用されることを特徴とする請求項１０または１１に記載の表示装置の駆動方法。
【請求項１５】
第２の表示手段へのゲート信号の供給を第１の表示手段のゲート信号線を介して行うことを特徴とする請求項１０または１１に記載の表示装置の駆動方法。
【請求項１６】
第１の表示手段における１本のソース信号線に対して第２の表示手段における複数本のソース信号線が対応しており、第１の表示手段における１本のソース信号線の表示データ信号を、このソース信号線に対応する、第２の表示手段における複数本のソース信号線に対して順次時分割で切り替えて供給することを特徴とする請求項１５に記載の表示装置の駆動方法。
【請求項１７】
第１の表示手段へのゲート信号の供給を第２の表示手段のゲート信号線を介して行うことを特徴とする請求項１０または１１に記載の表示装置の駆動方法。
【請求項１８】
第１の表示手段と第２の表示手段とは第１の筐体部に対して第２の筐体部を開閉可能な装置に設けられ、第１の表示手段は、第１の筐体部に対して第２の筐体部を閉じた折畳状態における第１または第２の筐体部の外面側に表示面を配して設けられ、第２の表示手段は、前記折畳状態における第１または第２の筐体部の内面側に表示面を配して設けられていることを特徴とする請求項１０または１１に記載の表示装置の駆動方法。
【発明の詳細な説明】
【技術分野】
【０００１】
本発明は、アクティブマトリクス型の複数の表示パネルを備えた液晶表示装置等の表示装置およびその駆動方法に関するものである。
【背景技術】
【０００２】
近年、例えば携帯装置、特にクラムシェルタイプの携帯電話機（折畳式の携帯電話機）には、メインとサブの２枚の表示パネルからなるいわゆるツインパネルが多用されている。これらパネルの表示動作は折畳機能による開閉動作にしたがって次のように制御される。例えば、一方が点灯し、他方が消灯するような制御、メインパネルにて表示していた内容の一部をサブパネルに表示させるような制御、あるいはその逆の制御などである。このように、ツインパネルを構成するメインパネルおよびサブパネルは、通常、一つの表示システムの構成要素としてそれぞれ制御される。
【０００３】
ここで、携帯装置、例えば携帯電話機に使用されるツインパネルにおいては、電池寿命の面から低消費電力化が望まれている。特に、サブパネルについては、通常、携帯電話機の背面（折り畳んだ状態における外面）に搭載され、時計表示など、常時表示を行うニーズがあるので、低消費電力化の要求度も高くなっている。
【０００４】
そこで、従来は、それぞれの表示装置に求められる性能に応じて、液晶パネルであれば、メインパネルには高精細で表示品位の高いＴＦＴタイプを採用し、サブパネルには低消費電力駆動が可能なＳＴＮタイプを採用することが多くなっていた。しかしながら、この場合には、メインパネルとサブパネルとが完全に別個の表示装置となってしまう。このため、パネルの制御が煩雑になるという問題や、システム全体として見たときに似たような構成の電源回路、入力Ｉ／Ｆ回路およびメモリなどが、それぞれ別個に設けられているといった問題を招来していた。
【０００５】
このような点から、従来、メインパネルとサブパネルとを共通の駆動装置にて駆動するツインパネルが注目されている。図１４には、その一例としてメインパネル５８２とサブパネル５８３とからなるツインパネル５８１の回路図を示す。
【０００６】
メインパネル５８２は、基板上に薄膜トランジスタ（ＴＦＴ:Thin Film Transistor）５９２が設けられたＴＦＴ基板５８４と、このＴＦＴ基板５８４に対向する対向基板５８５と、ＴＦＴ基板５８４と対向基板５８５との間に挟まれる表示媒体としての液晶層（ＬＣ）５９４とを含んでいる。
【０００７】
ＴＦＴ基板５８４上には、複数のゲートバスライン５８８と複数のソースバスライン５８９とが設けられている。このゲートバスライン５８８とソースバスライン５８９との交差部の近傍に、ＴＦＴ５９２が配置されている。このＴＦＴ５９２は、ゲートがゲートバスライン５８８に接続され、ソースがソースバスライン５８９に接続されるとともに、ドレインが画素電極に接続されている。そして、この画素電極と、対向基板５８５に設けられた対向電極（ＣＯＭ）５９３との間で、画素としてのＬＣ５９４に電圧を印加する。これを各ＴＦＴ５９２において行うことによって、画像を表示する。なお、ソースバスライン５８９のうち、第１の配線群５９５に属するものはサブパネル５８３と共有され、第２の配線群５９６に属するものは、サブパネル５８３と共有されない。
【０００８】
また、メインパネル５８２には、さらにゲートドライバ５９０とソースドライバ５９１とが備えられている。ゲートドライバ５９０からの引き出し線がゲートバスライン５８８に接続され、ソースドライバ５９１からの引き出し線がソースバスライン５８９に接続されている。そして、ゲートドライバ５９０、ソースドライバ５９１から、それぞれのバスラインに、ゲート信号電圧、表示データ信号が印加される。
【０００９】
一方、サブパネル５８３は、基板上に薄膜トランジスタ５９２が設けられたＴＦＴ基板５８６と、このＴＦＴ基板５８６に対向する対向基板５８７と、ＴＦＴ基板５８６と対向基板５８７との間に挟まれる表示媒体としての液晶層（ＬＣ）５９４とを含んでいる。
【００１０】
このサブパネル５８３は、図示しないＦＰＣ(Flexible Printed Circuits)を介してメインパネル５８２と接続されている。これによって、メインパネル５８２のゲートドライバ５９０およびソースドライバ５９１から、メインパネル５８２内の配線とＦＰＣ(Flexible Printed Circuits)とを介して、サブパネル５８３の各バスラインに、ゲート信号電圧または表示データ信号が印加される。
【００１１】
ＴＦＴ基板５８６上には、複数のゲートバスライン５８８と複数のソースバスライン５８９とが設けられている。このゲートバスライン５８８とソースバスライン５８９との交差部の近傍に、ＴＦＴ５９２が配置されている。このＴＦＴ５９２は、ゲートがゲートバスライン５８８に接続され、ソースがソースバスライン５８９に接続されるとともに、ドレインが画素電極に接続されている。そして、この画素電極と、対向基板５８７に設けられた対向電極（ＣＯＭ）５９３との間で、画素としてのＬＣ５９４に電圧を印加する。これを各ＴＦＴ５９２において行うことによって、画像を表示する。これによって、メインパネル５８２またはサブパネル５８３において、画像を表示することができる。
【００１２】
上記のように、ツインパネルを共通の駆動装置にて駆動する具体的な構成を開示した従来文献としては、例えば、特開２００１−０６７０４９（第１従来技術）、特開２００１−２８２１４５（第２従来技術）および特開２００３−１３１２５０（第３従来技術）がある。
【００１３】
第１従来技術には、第１液晶表示部（第１液晶表示装置）と第２液晶表示部（第２液晶表示装置）とからなるツインパネルを備えた折畳式の移動通信端末機が開示されている。この移動通信端末機では、本体部に対してカバー部（フォルダカバー）を開閉可能であり、第１液晶表示部がカバー部の内面（折り畳まれた状態における内面）に設けられ、第２液晶表示部がカバー部の外面（折り畳まれた状態における外面）に設けられている。第１および第２液晶表示部は、１個のドライバによって駆動され、このドライバは第１液晶表示部側に設けられている。即ち、ドライバからの出力は第１液晶表示部を介して第２液晶部に入力される。第２液晶表示部は第１液晶表示部よりも表示面積が小さく（特許文献１の図４、図５参照）、第２液晶表示部には時刻の他、概略的な情報が表示され、第１液晶表示部には多様な情報が表示される。また、カバー部が閉じた状態では第２液晶表示部のみによる表示が行われ、カバー部が開いた状態では第１液晶表示部のみによる表示が行われる。
【００１４】
第２従来技術には、第１従来技術と同様に、第１液晶表示部（内側液晶表示部）と第２液晶表示部（外側液晶表示部）とからなるツインパネルを備えた折畳式の携帯電話機が開示されている。この携帯電話機は、本体部（下部筐体）に対してカバー部（上部筐体）を開閉可能であり、第１液晶表示部がカバー部の内面（折り畳まれた状態における内面）に設けられ、第２液晶表示部がカバー部の外面（折り畳まれた状態における外面）に設けられている。第１および第２液晶表示部は、１個のドライバによって駆動され、このドライバは第１液晶表示部側に設けられている。即ち、ドライバからの出力は第１液晶表示部を介して第２液晶表示部に入力される。第２液晶表示部は第１液晶表示部よりも表示面積が小さくなっている（特許文献２の図３、図４参照）。また、カバー部が閉じた状態では第２液晶表示部のみによる表示が行われ、カバー部が開いた状態では第１液晶表示部のみによる表示が行われる。
【００１５】
第３従来技術には、第１従来技術と同様に、第１液晶表示部（ＬＣＤ）と第２液晶表示部（ＬＣＤ）とからなるツインパネルを備えた折畳式の携帯電話機が開示されている。この携帯電話機では、本体部に対してカバー部（蓋）を開閉可能であり、第１液晶表示部がカバー部の内面（折り畳まれた状態における内面）に設けられ、第２液晶表示部がカバー部の外面（折り畳まれた状態における外面）に設けられている。第１および第２液晶表示部は、１個のドライバによって駆動され、このドライバは第１液晶表示部側に設けられている。即ち、ドライバからの出力は第１液晶表示部を介して第２液晶部に入力される。第２液晶表示部は第１液晶表示部よりも表示面積が小さく（特許文献３の図１、図１０参照）、第２液晶表示部には着信があったことや年月日等の簡単な情報が表示され、第１液晶表示部には主要な情報が表示される。
【特許文献１】特開２００１−０６７０４９（平成１３年０３月１６日公開）
【特許文献２】特開２００１−２８２１４５（平成１３年１０月１２日公開）
【特許文献３】特開２００３−１３１２５０（平成１５年０５月０８日公開）
【発明の開示】
【発明が解決しようとする課題】
【００１６】
上記従来の構成では、単に一つの駆動装置をメインパネルとサブパネルとで共通に使用するものであるため、特に表示頻度が高い（解像度が低い）サブパネルの低消費電力化については、十分に達成されていない。したがって、本発明は、相対的に表示頻度が高いサブパネルについての十分な低消費電力化が可能な表示装置およびその駆動方法の提供を目的としている。
【課題を解決するための手段】
【００１７】
本発明の表示装置は、複数のゲート信号線、複数のソース信号線、これらゲート信号線とソース信号線との各交差部近傍に配置され、スイッチング動作の制御端子が前記ゲート信号線に接続されたスイッチング手段、および前記スイッチング手段を介して前記ソース信号線と接続された画素電極を有する第１の表示手段と、それぞれ複数の前記ゲート信号線、ソース信号線、スイッチング手段および画素電極を有し、各ソース信号線が第１の表示手段の対応するソース信号線と接続され、第１の表示手段よりも画素数が多い第２の表示手段と、前記ゲート信号線に前記スイッチング手段をオン動作させるためのゲート信号を供給し、かつ前記ソース信号線に表示データ信号を供給することによる前記画素電極への書き込み動作を行い、この書き込み動作において、１垂直期間を第１の表示手段と第２の表示手段とで同一とした場合に第１の表示手段の各画素電極への書き込み時間として設定し得る最大書き込み時間よりも短い時間による短時間書き込み動作にて第１の表示手段の各画素電極への書き込みを行う表示駆動回路とを備えていることを特徴としている。
【００１８】
また、本発明の表示装置の駆動方法は、複数のゲート信号線、複数のソース信号線、これらゲート信号線とソース信号線との各交差部近傍に配置され、スイッチング動作の制御端子が前記ゲート信号線に接続されたスイッチング手段、および前記スイッチング手段を介して前記ソース信号線と接続された画素電極を有する第１の表示手段と、それぞれ複数の前記ゲート信号線、ソース信号線、スイッチング手段および画素電極を有し、各ソース信号線が第１の表示手段の対応するソース信号線と接続され、第１の表示手段よりも画素数が多い第２の表示手段とを備えた表示装置の駆動方法において、前記ゲート信号線に前記スイッチング手段をオン動作させるためのゲート信号を供給し、かつ前記ソース信号線に表示データ信号を供給することによる前記画素電極への書き込み動作を行い、この書き込み動作において、１垂直期間を第１の表示手段と第２の表示手段とで同一とした場合に第１の表示手段の各画素電極への書き込み時間として設定し得る最大書き込み時間よりも短い時間による短時間書き込み動作にて第１の表示手段の各画素電極への書き込みを行うことを特徴としている。
【００１９】
上記の構成によれば、画素電極への表示データ信号の書き込み動作において、第１の表示手段の各画素電極へは、１垂直期間を第１の表示手段と第２の表示手段とで同一とした場合に第１の表示手段の各画素電極への書き込み時間として設定し得る最大書き込み時間よりも短い時間にて書き込みが行われる。
【００２０】
前記最大書き込み時間ｔａは、例えば、第２の表示手段の各画素電極への書き込み時間（１水平期間にほぼ同じ）をｔｂ、第１の表示手段のライン数（ライン数少）をＰａ、第２の表示手段のライン数（ライン数多）をＰｂとしたときに、ｔａ＝ｔｂ×（Ｐｂ／Ｐａ）によって求めることができる時間である。
【００２１】
したがって、第１の表示手段への表示データ信号の書き込み動作において、１垂直期間内に、書き込みを行っていない期間である書き込み休止期間が生じ、この書き込み休止期間には表示駆動回路における動作が不要な回路部の動作を停止させることができる。これにより、第１の表示装置において低消費電力化が可能となる。
【００２２】
本発明の表示装置は、複数のゲート信号線、複数のソース信号線、これらゲート信号線とソース信号線との各交差部近傍に配置され、スイッチング動作の制御端子が前記ゲート信号線に接続されたスイッチング手段、および前記スイッチング手段を介して前記ソース信号線と接続された画素電極を有する第１の表示手段と、それぞれ複数の前記ゲート信号線、ソース信号線、スイッチング手段および画素電極を有し、各ソース信号線が第１の表示手段の対応するソース信号線と接続され、第１の表示手段よりも画素数が多い第２の表示手段と、前記ゲート信号線に前記スイッチング手段をオン動作させるためのゲート信号を供給し、かつ前記ソース信号線に表示データ信号を供給することによる前記画素電極への書き込み動作を行い、この書き込み動作において、第２の表示手段の各画素電極への書き込みと同じあるいはほぼ同じ時間による短時間書き込み動作にて第１の表示手段の各画素電極への書き込みを行う表示駆動回路とを備えていることを特徴としている。
【００２３】
また、本発明の表示装置の駆動方法は、複数のゲート信号線、複数のソース信号線、これらゲート信号線とソース信号線との各交差部近傍に配置され、スイッチング動作の制御端子が前記ゲート信号線に接続されたスイッチング手段、および前記スイッチング手段を介して前記ソース信号線と接続された画素電極を有する第１の表示手段と、それぞれ複数の前記ゲート信号線、ソース信号線、スイッチング手段および画素電極を有し、各ソース信号線が第１の表示手段の対応するソース信号線と接続され、第１の表示手段よりも画素数が多い第２の表示手段とを備えた表示装置の駆動方法において、前記ゲート信号線に前記スイッチング手段をオン動作させるためのゲート信号を供給し、かつ前記ソース信号線に表示データ信号を供給することによる前記画素電極への書き込み動作を行い、この書き込み動作において、第２の表示手段の各画素電極への書き込みと同じあるいはほぼ同じ時間による短時間書き込み動作にて第１の表示手段の各画素電極への書き込みを行うことを特徴としている。
【００２４】
上記の構成によれば、画素電極への表示データ信号の書き込み動作において、第１の表示手段の各画素電極へは、第２の表示手段の各画素電極への書き込みと同じあるいはほぼ同じ時間にて書き込みが行われる。なお、ほぼ同じ時間としては、例えば、第２の表示手段の各画素電極への書き込み時間の±３０％以内の時間とすることができる。
【００２５】
したがって、第１の表示手段への表示データ信号の書き込み動作において、１垂直期間内に、書き込みを行っていない期間である書き込み休止期間が生じ、この書き込み休止期間には表示駆動回路における動作が不要な回路部の動作を停止させることができる。これにより、第１の表示装置において低消費電力化が可能となる。
【００２６】
上記の表示装置において、前記表示駆動回路は、第１の表示手段の各画素電極への前記短時間書き込み動作を１垂直期間内において連続して行い、１垂直期間内に書き込み休止期間を設ける構成としてもよい。
【００２７】
また、表示装置の駆動方法は、第１の表示手段の各画素電極への前記短時間書き込み動作を１垂直期間内において連続して行い、１垂直期間内に書き込み休止期間を設ける構成としてもよい。
【００２８】
上記の構成によれば、第１の表示手段の各画素電極への書き込み動作において、１垂直期間内に設けられる書き込み休止期間には、表示駆動回路における動作が不要な回路部の動作を停止させることができる。これにより、第１の表示装置において低消費電力化が可能となる。
【００２９】
上記の表示装置において、前記表示駆動回路は、１垂直期間を第１の表示手段と第２の表示手段とで同一とした場合に第１の表示手段に設定される１水平期間ごとに、第１の表示手段の各画素電極への前記短時間書き込み動作を行い、１水平期間内に書き込み休止期間を設ける構成としてもよい。
【００３０】
また、上記の表示装置の駆動方法は、１垂直期間を第１の表示手段と第２の表示手段とで同一とした場合に第１の表示手段に設定される１水平期間ごとに、第１の表示手段の各画素電極への前記短時間書き込み動作を行い、１水平期間内に書き込み休止期間を設ける構成としてもよい。
【００３１】
上記の構成によれば、第１の表示手段の各画素電極への書き込み動作において、１水平期間ごとに設けられる書き込み休止期間には、表示駆動回路における動作が不要な回路部の動作を停止させることができる。これにより、第１の表示装置において低消費電力化が可能となる。
【００３２】
上記の表示装置および上記の表示装置の駆動方法において、第１の表示手段は第２の表示手段と比較して表示頻度が高い状態で使用される構成としてもよい。
【００３３】
上記の構成によれば、低消費電力化が可能な第１の表示手段は第２の表示手段と比較して表示頻度が高い状態で使用されるので、表示装置全体としての低消費電力化をさらに促進することができる。
【００３４】
上記の表示装置において、前記表示駆動回路は、前記ゲート信号線にゲート信号を供給するゲート信号線駆動回路、および前記ソース信号線に表示データ信号を供給するソース信号線駆動回路を備え、前記ソース信号線駆動回路は第１の表示手段に設けられ、第２の表示手段へのゲート信号の供給は第１の表示手段のゲート信号線を介して行われる構成としてもよい。
【００３５】
また、上記の表示装置の駆動方法は、第２の表示手段へのゲート信号の供給を第１の表示手段のゲート信号線を介して行う構成としてもよい。
【００３６】
上記の構成によれば、第１の表示手段へは、第２の表示手段という負荷を介することなく、ソース信号線駆動回路から直接的に表示データ信号が供給される。ここで、第１の表示手段と第２の表示手段とを備えた表示装置において、第１の表示手段は、相対的に画素数が少なくて解像度が小さいものであり、時刻等を常時表示するなど、画素数が多くて解像度が高い第２の表示手段と比較して、通常、表示頻度が高い用途に使用される。このように、表示頻度が高い用途に使用される第１の表示装置を低負荷の状態で表示可能とすることにより、さらに低消費電力化を促進することができる。
【００３７】
上記の表示装置および上記の表示装置の駆動方法は、第１の表示手段における１本のソース信号線に対して第２の表示手段における複数本のソース信号線が対応しており、第１の表示手段における１本のソース信号線の表示データ信号を、このソース信号線に対応する、第２の表示手段における複数本のソース信号線に対して順次時分割で切り替えて供給する時分割駆動手段を備えている構成としてもよい。
【００３８】
上記の構成によれば、第１の表示手段を介して第２の表示手段に表示データ信号を供給する場合において、画素数の多い第２の表示手段のソース信号線に対応するソース信号線が画素数の少ない第１の表示手段において不足する場合であっても、表示データ信号供給用の信号線を別途設けることなく、表示データ信号を第１の表示手段のソース信号線を介して第２の表示手段のソース信号線に適切に供給することができる。
【００３９】
上記の表示装置において、前記表示駆動回路は、前記ゲート信号線にゲート信号を供給するゲート信号線駆動回路、および前記ソース信号線に表示データ信号を供給するソース信号線駆動回路を備え、前記ソース信号線駆動回路は第２の表示手段に設けられ、第１の表示手段へのゲート信号の供給は第２の表示手段のゲート信号線を介して行われる構成としてもよい。
【００４０】
上記の表示装置の駆動方法は、第１の表示手段へのゲート信号の供給を第２の表示手段のゲート信号線を介して行う構成としてもよい。
【００４１】
上記の表示装置において、第１の表示手段と第２の表示手段とは第１の筐体部に対して第２の筐体部を開閉可能な装置に設けられ、第１の表示手段は、第１の筐体部に対して第２の筐体部を閉じた折畳状態における第１または第２の筐体部の外面側に表示面を配して設けられ、第２の表示手段は、前記折畳状態における第１または第２の筐体部の内面側に表示面を配して設けられている構成としてもよい。
【００４２】
また、表示装置の駆動方法の駆動方法において、第１の表示手段と第２の表示手段とは第１の筐体部に対して第２の筐体部を開閉可能な装置に設けられ、第１の表示手段は、第１の筐体部に対して第２の筐体部を閉じた折畳状態における第１または第２の筐体部の外面側に表示面を配して設けられ、第２の表示手段は、前記折畳状態における第１または第２の筐体部の内面側に表示面を配して設けられている構成としてもよい。
【００４３】
上記の構成によれば、表示装置を備え、第１の筐体部に対して第２の筐体部を開閉可能な装置においては、表示装置の使用状態において、第１の筐体部に対して第２の筐体部を閉じた折畳状態となる頻度が高くなる。したがって、第１の表示手段が折畳状態における第１または第２の筐体部の外面側に表示面を配して設けられ、第２の表示手段が折畳状態における第１または第２の筐体部の内面側に表示面を配して設けられている構成は、消費電力を低減する上で好適である。
【発明の効果】
【００４４】
本発明の表示装置は、第１の表示手段と、各ソース信号線が第１の表示手段の対応するソース信号線と接続され、第１の表示手段よりも画素数が多い第２の表示手段と、前記ゲート信号線に前記スイッチング手段をオン動作させるためのゲート信号を供給し、かつ前記ソース信号線に表示データ信号を供給することによる前記画素電極への書き込み動作を行い、この書き込み動作において、１垂直期間を第１の表示手段と第２の表示手段とで同一とした場合に第１の表示手段の各画素電極への書き込み時間として設定し得る最大書き込み時間よりも短い時間による短時間書き込み動作にて第１の表示手段の各画素電極への書き込みを行う表示駆動回路とを備えている構成である。
【００４５】
また、本発明の表示装置の駆動方法は、前記ゲート信号線に前記スイッチング手段をオン動作させるためのゲート信号を供給し、かつ前記ソース信号線に表示データ信号を供給することによる前記画素電極への書き込み動作を行い、この書き込み動作において、１垂直期間を第１の表示手段と第２の表示手段とで同一とした場合に第１の表示手段の各画素電極への書き込み時間として設定し得る最大書き込み時間よりも短い時間による短時間書き込み動作にて第１の表示手段の各画素電極への書き込みを行う構成である。
【００４６】
したがって、第１の表示手段への表示データ信号の書き込み動作において、１垂直期間内に、書き込みを行っていない期間である書き込み休止期間が生じ、この書き込み休止期間には表示駆動回路における動作が不要な回路部の動作を停止させることができる。これにより、第１の表示装置において低消費電力化が可能となる。
【発明を実施するための最良の形態】
【００４７】
〔実施の形態１〕
本発明の実施の一形態を図面に基づいて以下に説明する。
図１には本実施の形態の液晶表示装置（表示装置）１の回路図を示す。液晶表示装置１は図１に示すように、サブパネル（第１の表示手段）１０とメインパネル（第２の表示手段）２０とを備えたツインパネル構成である。これらパネル１０，２０は、コントラストおよび応答速度などの点で優れ、表示品位が高いアクティブマトリクス型となっている。
【００４８】
メインパネル２０は、基板上に薄膜トランジスタ（ＴＦＴ:Thin Film Transistor）２５が設けられたＴＦＴ基板２１と、このＴＦＴ基板２１に対向する対向基板２２と、ＴＦＴ基板２１と対向基板２２との間に挟まれる表示媒体としての液晶層（ＬＣ）２６とを含んでいる。
【００４９】
ＴＦＴ基板２１上には、複数のゲートバスライン（ゲート信号線）２４と複数のソースバスライン（ソース信号線）１６とが設けられている。このゲートバスライン２４とソースバスライン１６との交差部の近傍に、ＴＦＴ２５が配置されている。このＴＦＴ２５は、ゲートがゲートバスライン２４に接続され、ソースがソースバスライン１６に接続されるとともに、ドレインが画素電極に接続されている。そして、この画素電極と、対向基板２２に設けられた対向電極（ＣＯＭ）２７との間で、画素としてのＬＣ２６に電圧を印加する。これを各ＴＦＴ２５において行うことによって、画像を表示する。なお、ソースバスライン１６のうち、第２の配線群３２に属するものは全てメインパネル２０のソースバスライン１６として使用され、そのうち第１の配線群３１に属するものはサブパネル１０およびメインパネル２０のソースバスライン１６として使用される。
【００５０】
また、メインパネル２０には、さらにゲートドライバ１３とソースドライバ１５とが備えられている。ゲートドライバ１３からの引き出し線はメインパネル２０のゲートバスライン２４およびサブパネル１０のゲートバスライン（ゲート信号線）１４に接続され、ソースドライバ１５からの引き出し線はソースバスライン１６に接続されている。そして、ゲートドライバ１３、ソースドライバ１５から、それぞれのバスラインに、ゲート信号電圧、表示データ信号が印加される。
【００５１】
なお、本実施の形態において、ゲートドライバは、サブパネル１０とメインパネル２０とで共用されるゲートドライバ１３のみが設けられているものの、サブパネル１０とメインパネル２０とにそれぞれ専用のものが設けられていてもよい。
【００５２】
サブパネル１０は、ＴＦＴ（薄膜トランジスタ:Thin Film Transistor）２５が設けられたＴＦＴ基板１１と、このＴＦＴ基板１１に対向する対向基板１２と、ＴＦＴ基板１１と対向基板１２との間に挟まれる表示媒体としての液晶層とを含んでいる。この液晶層は液晶キャパシタ２６を構成する。
【００５３】
サブパネル１０はメインパネル２０よりもソースバスライン１６の数が少なく、画素数が少ないため、メインパネル２０よりも解像度が低いものとなっている。
【００５４】
サブパネル１０は、メインパネル２０と同様、基板上に薄膜トランジスタ２５が設けられたＴＦＴ基板１１と、このＴＦＴ基板１１に対向する対向基板１２と、ＴＦＴ基板１１と対向基板１２との間に挟まれる表示媒体としての液晶層（ＬＣ）２６とを含んでいる。
【００５５】
このサブパネル１０は、図示しないＦＰＣ(Flexible Printed Circuits)を介してメインパネル２０と接続されている。これによって、メインパネル２０のゲートドライバ１３およびソースドライバ１５から、メインパネル２０内の配線とＦＰＣ(Flexible Printed Circuits)とを介して、サブパネル１０の各バスラインに、ゲート信号電圧または表示データ信号が印加される。
【００５６】
液晶表示装置１が一つの装置、例えば携帯装置に備えられる場合、サブパネル１０はメインパネル２０よりも表示頻度が高い（使用時間が長い）表示パネルとして使用される。例えば、サブパネル１０は、適用された装置において、時刻、その装置の現在の状態、あるいは何らかの概要情報を示す表示装置として使用され、メインパネル２０は、例えば操作者の操作に基づいて表示動作を開始する、サブパネル１０での表示情報よりも詳細な情報（何らかの詳細情報）を表示する表示装置として使用される。
【００５７】
具体的には、例えば図２（ａ）（ｂ）に示すように、本体部（第１の筐体部）４１に対してカバー部（第２の筐体部）４２を開閉可能な折畳式の携帯電話機４０において、サブパネル１０はカバー部４２の外面（折り畳まれた状態における外面）に設けられ、メインパネル２０はカバー部４２の内面（折り畳まれた状態における内面）に設けられる。この状態におけるカバー部４２の要部の縦断面図を図３に示す。同図に示すように、サブパネル１０とメインパネル２０とは、カバー部４２内部において背中合わせに対向した状態に設けられている。したがって、液晶表示装置１では、表示頻度の高い方のサブパネル１０側にサブパネル１０とメインパネル２０とで共用されるソースドライバ１５が設けられた構成である。
【００５８】
上記の携帯電話機４０において、電話による通話時、電子メールの送信操作時および受信メールについての内容確認時等の使用時にはカバー部４２を開いた状態とする。この場合には、サブパネル１０の表示動作がオフとなり、メインパネル２０の表示動作がオンとなる。一方、カバー部４２を閉じた待ち受け状態（電源オン状態）においては、サブパネル１０の表示動作がオンとなり、メインパネル２０の表示動作がオフとなる。携帯電話機４０においては、通常、例えば一日の内でカバー部４２を開いている状態よりもカバー部４２を閉じている状態の方が多いので、サブパネル１０はメインパネル２０よりも表示頻度が高くなる。
【００５９】
次に、上記の第１および第２液晶パネル１０，２０の表示動作についてさらに詳細に説明する。ここで、サブパネル１０の画素数は、メインパネル２０の画素数に対して、例えば列方向および行方向においてそれぞれ１／２であり、総画素数が１／４であるものとする。一例として、サブパネル１０は、１２０×３（ＲＧＢ）×１６０、メインパネル２０は２４０×３（ＲＧＢ）×３２０とする。
【００６０】
サブパネル１０を表示させる場合、図４に示すように、ソースバスライン１６にはソースドライバ１３から表示データ信号が印加され、ゲートバスライン１４にはゲートドライバ１３からＴＦＴ２５をオン／オフするためのゲート信号が印加される。このとき、ゲートバスライン１４の電圧がＨｉｇｈになると、そのゲートバスライン１４に接続されているＴＦＴ２５がオンとなり、ソースバスライン１６に印加されている表示データ信号が画素（液晶キャパシタ２６）に書き込まれる。
【００６１】
なお、図４において、１６ａ１，１６ａ２，１６ａ３…は、第１の配線群３１に属する第１，第２，第３…のソースバスライン１６を示し、１４−１，１４−２…は第１，第２…のゲートバスライン１４を示し、２４−１，２４−２…は第１，第２…のゲートバスライン２４を示す。
【００６２】
サブパネル１０の表示駆動においては、ソースバスライン１６ａ１，１６ａ２，１６ａ３…に表示データ信号を印加し、ゲートバスライン１４−１，１４−２…を線順次駆動することにより、１画面の表示（書き込み）を繰り返し行う。このとき、メインパネル２０は表示を行わないので、メインパネル２０のゲートバスライン２４−１，２４−２…にはゲートドライバ１３からゲート信号（駆動信号）が印加されない。
【００６３】
一方、メインパネル２０を表示させる場合、図５に示すように、サブパネル１０の場合と同様、ソースバスライン１６にはソースドライバ１５から表示データ信号が印加され、ゲートバスライン２４にはゲートドライバ２３からＴＦＴ２５をオン／オフするためのゲート信号が印加される。このとき、ゲートバスライン２４の電圧がＨｉｇｈになると、そのゲートバスライン２４に接続されているＴＦＴ２５がオンとなり、ソースバスライン１６に印加されている表示データ信号が画素（液晶キャパシタ２６）に書き込まれる。
【００６４】
なお、図５において、１６ｂ１，１６ｂ２，１６ｂ３…は、第２の配線群３２に属する第１，第２，第３…のソースバスライン１６を示す。
【００６５】
メインパネル２０の表示駆動においては、ソースバスライン１６ｂ１，１６ｂ２，１６ｂ３…に表示データ信号を印加し、ゲートバスライン２４−１，２４−２…を線順次駆動することにより、１画面の表示（書き込み）を繰り返し行う。このとき、サブパネル１０は表示を行わないので、サブパネル１０のゲートバスライン１４−１，１４−２…にはゲートドライバ１３からゲート信号（駆動信号）が印加されない。
【００６６】
ここで、従来のツインパネル構成の液晶表示装置において、サブパネル１０での各画素電極への書き込み時間（各ゲートバスラインの選択期間）は、メインパネル２０での各画素電極への書き込み時間に対して、４倍に設定されている。この値は、メインパネル２０の総画素数（画素電極数）に対するサブパネル１０の総画素数（画素電極数）の逆数に基づいて設定される。この場合における両パネル１０，２０同士の各画素電極への書き込み時間の関係を示すと、図６のようになる。即ち、同図において、サブパネル１０におけるゲート信号波形のパルス長はメインパネル２０におけるゲート信号波形のパルス長の４倍になっている。
【００６７】
これに対し、本実施の形態の液晶表示装置１では、サブパネル１０における各画素電極への書き込み時間を短縮し、サブパネル１０に対する短時間書き込みを行っている。この短時間書き込みでは、サブパネル１０における各画素電極への書き込み時間を例えばメインパネル２０における各画素電極への書き込みとほぼ同じ時間に設定している。これにより、液晶表示装置１では、サブパネル１０が表示を行う際の消費電力を低減できるようにしている。
【００６８】
サブパネル１０に対する短時間書き込み方式としては、図７に示すように、第１および第２の方式がある。同図における第１および第２の方式を示す波形は、サブパネル１０における各画素電極の書き込み時間と書き込みタイミングを示している。
【００６９】
これら第１および第２の方式でのサブパネル１０における各画素電極への書き込み時間（ゲート信号波形のパルス長）は、本来的にサブパネル１０に与え得る書き込み時間すなわち一水平期間（以下、標準書き込み時間と称する）にて書き込みを行う従来の方式に対して、１／４となっている。上記の標準書き込み時間は、メインパネル２０における各画素電極への書き込み時間との関係から例えば次のように設定することができる。即ち、標準書き込み時間は、メインパネル２０における各画素電極への書き込み時間に対して、メインパネル２０の総画素数Ｐｂに対するサブパネル１０の総画素数Ｐａの比（Ｐａ／Ｐｂ）の逆数倍（Ｐｂ／Ｐａ）に設定される時間とすることができる。
【００７０】
第１の方式では、図７に示すように、サブパネル１０の各画素電極に対して標準書き込み時間よりも短い時間にて連続的に書き込みを行い、１垂直期間よりも短い時間にてサブパネル１０の各画素電極への書き込みを終了させる。これにより、１垂直期間内において、書き込みを停止している書き込み休止期間を生じさせる。この場合、フレーム周波数は例えば５０〜６０Ｈｚとなるようにする。
【００７１】
この場合の各画素電極への書き込み時間は、前述のように、メインパネル２０における各画素電極への書き込み時間とほぼ同じ時間に設定することができる。この場合、サブパネル１０に対してもメインパネル２０と同じ条件にてゲートドライバ１３およびソースドライバ１５を駆動することになる。即ち、メインパネル２０に対して書き込みを行う際の周波数にてゲートドライバ１３およびソースドライバ１５を動作させ、ゲートドライバ１３からのゲート信号によって順次ゲートバスライン１４を選択して行き、ソースドライバ１５からの表示データ信号を各画素電極に書き込んで行く。
【００７２】
第２の方式では、図７に示すように、サブパネル１０の各画素電極に対し、サブパネル１０の一水平期間（標準書き込み時間）ごとに、標準書き込み時間よりも短い時間にて書き込みを行い、サブパネル１０の各画素電極への一水平期間ごとの書き込みを一水平期間よりも短い時間にて終了させる。これにより、各一水平期間内において、書き込みを停止している書き込み休止期間を生じさせる。
【００７３】
この場合の各画素電極への書き込み時間は、第１の方式の場合と同様、メインパネル２０における各画素電極への書き込み時間とほぼ同じ時間に設定することができる。この場合、各ゲートバスライン１４の選択期間は従来と同じである一方、ソースドライバ１５の駆動周波数は、間欠動作である点を除けば、メインパネル２０と同じである。
【００７４】
液晶表示装置１においてサブパネル１０の書き込みに第１または第２の方式を採用するのは次の考え方に基づくものである。即ち、従来のように、サブパネルとメインパネルとをそれぞれ専用のソースドライバにて駆動する場合には、各パネルの駆動条件に応じ、ソースドライバを含めてそれぞれのモジュール（パネル）に最適な設計を行うことになる。これに対し、サブパネル１０とメインパネル２０とでソースドライバ１５を共用する液晶表示装置１では、サブパネル１０とメインパネル２０とを含む一つのツインパネルシステムという扱いであり、基本的にサブパネル１０とメインパネル２０とに同じパネル技術を用いている。したがって、相対的に画素数が少ないサブパネル１０についても、相対的に画素数が多いメインパネル２０と同じ書き込み時間にて表示データ信号の書き込み（充電）が可能である。
【００７５】
次に、液晶表示装置１において第１または第２の方式を採用することによりサブパネル１０の消費電力を低減することができる理由について説明する。
【００７６】
液晶表示装置１の消費電力は、駆動周波数に比例した、液晶表示装置１を駆動するための本来の消費電力と、周辺回路（駆動回路）にて定常的に消費していて、液晶表示装置１の駆動そのものと関係のない消費電力とに分けることができる。
【００７７】
前者（図９（ａ）（ｂ）の消費電力Ｃ１，Ｃ２）については、液晶表示装置１の駆動条件によって自動的に決まり、後者（図９（ａ）（ｂ）の消費電力Ｂ１，Ｂ２）については、下記のような工夫により低減が可能である。
・駆動回路のオペアンプなどのバイアス電流を書き込み休止期間には流さないようにする。
・不必要な電源回路の動作を停止させる。
・書き込み休止期間は、液晶表示装置１全体の消費電力が少なくなるため、電源回路の発振周波数を下げるなどして、電源回路部の消費電力を下げ、変換効率を向上させる。
【００７８】
このようにして、書き込み休止期間中の周辺回路の消費電力を低減することにより、液晶表示装置１全体での低消費電力化が可能になる。なお、第１および第２の方式では、書き込み休止期間中における周辺回路の消費電力を０にすることが理想であるものの、実際には、図９（ａ）（ｂ）の消費電力Ａ１，Ａ２の部分が存在するため、完全に０にすることは困難である。
【００７９】
上記の点を具体的に説明すると、ソースドライバ１５を含む表示装置駆動回路（表示駆動回路）３３は、図８に示すように、コントロール部３３ａ、電源部３３ｂ、ＤＡコンバータ３３ｃ、基準電圧作成回路３３ｄおよび列電極駆動用オペアンプ３３ｅを備えている。なお、上記表示装置駆動回路（表示駆動回路）３３の回路機能は、コスト等の観点から複数のＩＣチップに分かれている場合もある。
【００８０】
図９（ａ）（ｂ）は、サブパネル１０の前記標準書き込み時間内における消費電力を模式的に示したものである。即ち、図９（ａ）は各画素電極に対して標準書き込み時間にて書き込みを行う従来の書き込み方式での消費電力を示し、図９（ｂ）は第２の方式での消費電力を示す。なお、第１の方式と第２の方式とは、書き込みタイミングが異なるものの、実質的な書き込み時間が同じであるので、消費電力が同じと見なすことができる。
【００８１】
同図において、消費電力Ａ１，Ａ２は、液晶表示装置１の電源オン状態において、従来方式と第２の方式（第１の方式）に拘わり無く基本的にサブパネル１０にて消費される電力を示す。消費電力Ｂ１，Ｂ２は、表示装置駆動回路３３において、画素電極への書き込みを行っているか否かに拘わらず、各回路を動作可能状態としたときに消費される電力を示す。この消費電力としては、コントロール部３３ａでの内部クロックの発生動作、電源部３３ｂでの電圧発生動作、並びに基準電圧作成回路３３ｄおよび列電極駆動用オペアンプ３３ｅに流れるバイアス電流により発生するものがある。消費電力Ｃ１，Ｃ２は、各画素電極での実際の書き込み動作によって消費される電力を示す。
【００８２】
従来方式での消費電力（図９（ａ））と第２の方式（第１の方式）での消費電力（図９（ｂ））とを比較した場合、両者は、消費電力Ａ１とＡ２および消費電力Ｂ１とＢ２がそれぞれほぼ同一となる。即ち、第２の方式（第１の方式）では、書き込み時の駆動周波数が高くなるため、その時点の消費電力は増大するものの、書き込み休止期間の消費電力Ｃ２は０（ゼロ）となる。したがって、消費電力Ｃ２は消費電力Ｃ１と同一と見なすことができる。
【００８３】
一方、従来方式と第２の方式（第１の方式）では消費電力Ｂ１とＢ２が顕著に異なり、第２の方式では従来方式に対して消費電力を大幅に低減可能である。これは次の理由による。標準書き込み時間によって書き込みを行う従来方式では、コントロール部３３ａでの内部クロックの発生動作、電源部３３ｂでの電圧発生動作、並びに基準電圧作成回路３３ｄおよび列電極駆動用オペアンプ３３ｅにバイアス電流が流れることにより電力消費が標準書き込み時間中において常時発生する。これに対し、標準書き込み時間の１／４の時間だけ書き込みを行う第２の方式（第１の方式）では、書き込み休止期間中にそれらの動作を停止させ、それら動作による消費電力を０（ゼロ）にすることができる。なお、書き込み休止期間に不要電源を停止する点に関し、例えばＴＦＴ２５などの絵素用のオン／オフ用電源は停止できないものの、対向電極用の電源や表示装置駆動回路で使用する電源は停止可能である。
【００８４】
なお、サブパネル１０の各画素電極への書き込み時間は、メインパネル２０の各画素電極への書き込み時間とほぼ同じ時間が好ましいものの、これに限定されることなく、１垂直期間をサブパネル１０とメインパネル２０とで同一とした場合にサブパネル１０の各画素電極への書き込み時間として設定し得る最大書き込み時間よりも短い時間という条件の下で、任意に設定することができる。これは以下に示す他の例においても同様である。
【００８５】
〔実施の形態２〕
本発明の実施の他の形態を図面に基づいて以下に説明する。
本実施の形態の液晶表示装置（表示装置）２は図１０に示す構成を有している。すなわち、液晶表示装置２は、サブパネル（第１の表示手段）１００とメインパネル（第２の表示手段）２００とを備えたツインパネル構成である。サブパネル１００およびメインパネル２００はアクティブマトリクスパネルである。これらサブパネル１００とメインパネル２００とにおいて、ゲートバスラインを駆動するゲートドライバは、それぞれ専用のゲートドライバ１１３、１２３が備えられ、ソースバスラインを駆動するソースドライバは、サブパネル１００とメインパネル２００とで共用の１個のソースドライバ１１５が備えられている。
【００８６】
ソースドライバ１１５から出力される表示データ信号は、サブパネル１００のソースバスラインを介してメインパネル２００のソースバスラインに供給される。なお、サブパネル１００のソースバスラインとメインパネル２００のソースバスラインとの接続は、両パネル間に設けられた、柔軟な構造を有する接続部材、例えばＦＰＣ３０を介して行われている。
【００８７】
ここで、メインパネル２００は、サブパネル１００よりも画素数が多く、サブパネル１００よりも高い解像度を有する。したがって、メインパネル２００のソースバスラインはサブパネル１００のソースバスラインよりも多くなっている。このために、液晶表示装置２では、サブパネル１００の１本のソースバスラインをメインパネル２００の複数本のソースバスラインに対応させている。即ち、液晶表示装置２では、サブパネル１００における１本のソースバスラインの表示データ信号を時分割駆動部１１９によってメインパネル２００における複数本（例えば３本）のソースバスラインに与えている。具体的には、複数個の切り替えスイッチからなる時分割駆動部１１９の各切り替えスイッチによって、サブパネル１００における１本のソースバスラインの表示データ信号がメインパネル２００の対応する複数本のソースバスラインに対して時分割により切り替えて与えられる。
【００８８】
このように、画素数が少ないサブパネル１００側に設けられたソースドライバ１１５によって、サブパネル１００は通常の駆動（非時分割駆動）を行い、画素数が多いメインパネル２００は時分割駆動を行うことにより、メインパネル２００ではサブパネル１００よりも高解像度での表示が可能となる。
【００８９】
図１１には、図１０に示した液晶表示装置２の回路図を示す。
液晶表示装置２において、サブパネル１００は、前記サブパネル１０と同様、ＴＦＴ２５が設けられたＴＦＴ基板１１、対向基板１２および液晶層からなる液晶キャパシタ２６を有する。ＴＦＴ基板１１上には、複数のゲートバスライン１４、複数のソースバスライン１６および上記ＴＦＴ２５が配置されている。ＴＦＴ２５は、対向基板１２に設けられた対向電極（ＣＯＭ）２７と前記画素電極との間において画素を構成する液晶キャパシタ２６に電圧を印加する。
【００９０】
メインパネル２００は、前記メインパネル２０と同様、ＴＦＴ２５が設けられたＴＦＴ基板２１、対向基板２２および液晶層からなる液晶キャパシタ２６を有する。ＴＦＴ基板２１上には、複数のゲートバスライン２４、複数のソースバスライン２８および上記ＴＦＴ２５が配置されている。ＴＦＴ２５は、対向基板２２に設けられた対向電極（ＣＯＭ）２７と前記画素電極との間において画素を構成する液晶キャパシタ２６に電圧を印加する。
【００９１】
本実施の形態の液晶表示装置２において、時分割駆動部１１９は、メインパネル２００に設けられている。この時分割駆動部１１９は、メインパネル２００のソースバスライン２８ごとに設けられたスイッチングＴＦＴ１７を備えている。これらスイッチングＴＦＴ１７は、ソースバスライン２８におけるサブパネル１００側の端部に設けられている。
【００９２】
液晶表示装置２では、サブパネル１００の１本のソースバスライン１６から供給される表示データ信号をメインパネル２００の例えば２本のソースバスライン２８に時分割で与える構成であることから、隣り合う２個のスイッチングＴＦＴ１７が１組となっている。そして、それら２個１組のスイッチングＴＦＴ１７に対応する２本のソースバスライン２８に対して１本のソースバスライン１６がスイッチングＴＦＴ１７を介して導通可能となっている。
【００９３】
また、時分割駆動部１１９は、各組の第１、第２のスイッチングＴＦＴ１７に対応して第１、第２のスイッチング制御信号線１８ａ，１８ｂを有している。このうち、第１スイッチング制御信号線１８ａは、各組の第１のスイッチングＴＦＴ１７のゲートと接続され、第２スイッチング制御信号線１８ｂは各組の第２のスイッチングＴＦＴ１７のゲートと接続されている。第１、第２のスイッチング制御信号線１８ａ，１８ｂには、各組のスイッチングＴＦＴ１７を時分割駆動するための、即ち各組の２本のソースバスライン２８をそれらに対応する１本のソースバスライン１６と時分割にて接続するためのスイッチング制御信号が供給される。
【００９４】
さらに、時分割駆動部１１９は、サブパネル１００（サブパネル１００のソースバスライン１６）とメインパネル２００（メインパネル２００のソースバスライン２８）とを切り離す機能も備えている。
【００９５】
なお、時分割駆動部１１９の配置位置は、例えば配線の効率を考えた場合、メインパネル２００とするのが好ましいものの、サブパネル１００あるいはサブパネル１００とメインパネル２００との間であってもよい。
【００９６】
サブパネル１００およびメインパネル２００は、それぞれ前記サブパネル１０およびメインパネル２０と同様に使用され、例えば図２（ａ）（ｂ）に示した携帯電話機４０において、サブパネル１００は前記サブパネル１０の位置に設けられ、メインパネル２００は前記メインパネル２０に設けられる。
【００９７】
上記のように、液晶表示装置２では、解像度の低いサブパネル１００側にソースドライバ１１５を設け、２個の表示パネル（サブパネル１００およびメインパネル２００）を１個の駆動回路（ソースドライバ１１５）によって駆動し、時分割駆動部１１９によって、メインパネル２００を時分割駆動し、かつ２個の表示パネル（サブパネル１００およびメインパネル２００）を切り離せるようにしている。
【００９８】
上記の液晶表示装置２において、カバー部４２を閉じた状態ではサブパネル１００のみの表示動作がオン状態となり、メインパネル２００は表示動作がオフ状態となる。この場合、ソースドライバ１１５からのスイッチング制御信号によって時分割駆動部１１９の全てのスイッチングＴＦＴ１７がオフとなって、ソースドライバ１１５からの表示データ信号はメインパネル２００のソースバスライン２８へは供給されない。また、ゲートドライバ１１３は動作を行う一方、ゲートドライバ１２３は動作を停止する。
【００９９】
一方、カバー部４２を開いた状態ではメインパネル２００のみの表示動作がオン状態となり、サブパネル１００は表示動作がオフ状態となる。この場合、ソースドライバ１１５からのスイッチング制御信号に従って動作する時分割駆動部１１９のスイッチングＴＦＴ１７により、ソースドライバ１１５からの表示データ信号はメインパネル２００のソースバスライン２８へ供給される。また、ゲートドライバ１１３は動作を停止する一方、ゲートドライバ１２３は動作を行う。
【０１００】
次に、上記のサブパネル１００およびメインパネル２００の表示動作についてさらに詳細に説明する。なお、サブパネル１００の画素数とメインパネル２００の画素数との関係は、例えば、前記サブパネル１０の画素数とメインパネル２０の画素数との関係と同様、サブパネル１００の画素数がメインパネル２００の画素数に対して、列方向および行方向においてそれぞれ１／２であり、総画素数が１／４であるものとする。
【０１０１】
サブパネル１００を表示させる場合、ソースバスライン１６にはソースドライバ１１５から表示データ信号が印加され、ゲートバスライン１４にはゲートドライバ１１３からＴＦＴ２５をオン／オフするためのゲート信号が印加される。ここで、ゲートバスライン１４の電圧がＨｉｇｈになると、そのゲートバスライン１４に接続されているＴＦＴ２５がオンとなり、ソースバスライン１６に印加されている表示データ信号が画素（液晶キャパシタ２６）に書き込まれる。
【０１０２】
サブパネル１００の表示駆動においては、ソースバスライン１６に表示データ信号を印加し、ゲートバスライン１４を線順次駆動することにより、１画面の表示（書き込み）を繰り返し行う。
【０１０３】
このとき、メインパネル２００は表示を行わないので、ソースドライバ１１５から第１、第２のスイッチング制御信号線１８ａ，１８ｂにＬｏｗ電圧を印加して、時分割駆動部１１９の全てのスイッチングＴＦＴ１７をオフとし、メインパネル２００のソースバスライン２８を電気的に切り離す。また、このとき、メインパネル２００のゲートバスライン２４の駆動も行わない。
【０１０４】
上記の動作では、解像度の低いサブパネル１００を表示させる場合に、解像度の高いメインパネル２００の負荷を電気的に切り離す。したがって、液晶表示装置２では、さらに消費電力の低減が可能となる。
【０１０５】
一方、メインパネル２００を表示させる場合、ソースバスライン１６にはソースドライバ１１５から表示データ信号が印加され、ゲートバスライン２４にはゲートドライバ１２３からＴＦＴ２５をオン／オフするためのゲート信号が印加される。このとき、ゲートバスライン２４の電圧がＨｉｇｈになると、そのゲートバスライン２４に接続されているＴＦＴ２５がオンとなり、ソースバスライン１６に印加されている表示データ信号が画素（液晶キャパシタ２６）に書き込まれる。
【０１０６】
ここで、液晶表示装置２では、ソースドライバ１１５からの表示データ信号を解像度の低いサブパネル１００のソースバスライン１６を介して解像度の高いメインパネル２００のソースバスライン２８に伝えるため、解像度の高いメインパネル２００を時分割駆動させている。
【０１０７】
メインパネル２００の表示駆動においては、ソースバスライン１６に表示データ信号を印加し、ゲートバスライン２４を線順次駆動することにより、１画面の表示（書き込み）を繰り返し行う。
【０１０８】
このとき、サブパネル１００は表示を行わないものの、メインパネル２００に表示データ信号を印加するため、時分割駆動部１１９のスイッチングＴＦＴ１７のオン／オフを制御する。具体的には、第１、第２のスイッチング制御信号線１８ａ，１８ｂからのスイッチング制御信号によって、それらに接続されたスイッチングＴＦＴ１７のオン／オフを制御し、１組をなす２本のソースバスライン２８、例えばソースバスライン２８−１，２８−２に対して時分割で表示データ信号を与える。ただし、ゲートバスライン１４の駆動は行わない。
【０１０９】
上記の動作では、解像度の高いメインパネル２００を表示する場合には、解像度の低いサブパネル１００の負荷を電気的に切り離すことができず、余分な電力を必要とする。しかしながら、解像度の高いメインパネル２００と解像度の低いサブパネル１００とを備えたツインパネル構成では、折畳式の携帯電話機４０等において、通常、解像度の低いサブパネル１００は相対的に表示頻度が高い用途に使用され、解像度の高いメインパネル２００は表示頻度が低い用途に使用される。したがって、液晶表示装置２では、その使用状態において、メインパネル２００が表示を行う上記の状態を生じる頻度が低くなり、液晶表示装置２全体としては消費電力の低減を実現できる。
【０１１０】
なお、上記の電気的負荷は、主にゲートバスライン１４とクロスする箇所での絶縁部の容量、およびＴＦＴ２５部分での寄生容量などに起因するものである。
【０１１１】
ここで、本実施の形態の液晶表示装置２においても、前記液晶表示装置１と同様、サブパネル１００に対する短時間書き込み方式である第１または第２の方式にてサブパネル１００の各画素電極への書き込みを行うので、サブパネル１００が表示を行う際の消費電力を低減することができる。その理由については前述のとおりである。
【０１１２】
液晶表示装置２の場合、メインパネル２００への表示データ信号の供給は、サブパネル１００のソースバスライン１６および時分割駆動部１１９を介して行っている。したがって、図１２に示すように、前記の標準書き込み時間（サブパネルゲート信号波形）に対して半分の時間がメインパネル２００のゲートバスライン２４の選択時間（メインパネルゲート信号波形）となり、その一つの選択時間内にて時分割駆動部１１９により２本１組のソースバスライン２８を切り替えて時分割駆動（時分割駆動部スイッチ波形）している。このように、液晶表示装置２においても、第１または第２の方式によるサブパネル１００の各画素電極への書き込みは、メインパネル２００の各画素電極への書き込みとほぼ同じ時間にて行われる。
【０１１３】
以上の実施の形態において、容量性の負荷と接続されるスイッチングＴＦＴ１７としては、図１３に示すような構成としてもよい。同図に示すスイッチングＴＦＴ１７は、ＮチャンネルのＭＯＳＦＥＴ３０１とＰチャンネルＭＯＳＦＥＴ３０２とインバータ３０３とからなる。このようなＣＭＯＳの構成では、片チャンネルの構成よりも、正確なスイッチング動作が可能である点は勿論、能力の点でも電圧レベルの制御を安定に行い得るという点でも好ましい。なお、スイッチング動作としては、片チャンネルのスイッチング素子からなる構成でも問題はない。
【０１１４】
なお、液晶表示装置２において、サブパネル１００とメインパネル２００との解像度の組み合わせは、メインパネル２００の時分割駆動を何分割の駆動にするかによって自由に決定することができる。本実施の形態においては、メインパネル２００について２分割の時分割駆動を行っているので、メインパネル２００はサブパネル１００の解像度の２倍までの解像度にて表示が可能である。
【０１１５】
また、以上のように、ツインパネル構成の液晶表示装置において、ソースドライバ（列電極駆動回路）は、サブパネル側とメインパネル側との何れの側にも搭載することができる。しかしながら、低消費電力化は、常時表示状態で使用される可能性あるいは必要性が高いのパネルに対して求められる。一方、ソースドライバ（列電極駆動回路）をメインパネルに搭載した構成（液晶表示装置１）では、メインパネルのソースバスライン、即ち負荷を介してサブパネルのソースバスラインを駆動することになる。このため、ソースドライバの出力部の負荷が大きくなり、サブパネルの低消費電力化に対しては不利となる。そこで、サブパネルの低消費電力化が必要であれば、サブパネル側にソースドライバを搭載することが好ましい。
【０１１６】
また、液晶表示装置２では、時分割駆動部１１９のスイッチングＴＦＴ１７が時分割駆動用のスイッチ、およびサブパネル１００とメインパネル２００との切り離し用のスイッチを兼用しているので、それぞれ専用のスイッチを設ける場合と比較して、部品点数が少なく構成が簡単、かつ低コストとなっている。
【０１１７】
また、携帯電話機４０において、ソースドライバ１１５が設けられている側のサブパネル１０，１００、言い換えるとカバー部４２の外面に設けられているサブパネル１０，１００は、カバー部４２を開いたときに表示動作がオフとなる構成に限らず、カバー部４２の開閉にかかわらず表示動作が常時オンである構成としてもよい。
【０１１８】
以上の実施の形態では、スイッチングＴＦＴ１７は、ソースドライバ１５またはソースドライバ１１５からの信号により駆動するものとしているが、他の駆動回路によって駆動する構成としてもよい。
【０１１９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２０】
本発明の表示装置は、複数の表示部を有し、専らＡＣ電源を使用する据え置き型、固定型の装置にも利用可能であるのものの、携帯電話機やＰＤＡ（Personal Digital Assistants）等、複数の表示部を有し、電池駆動を行うために低消費電力化が要求される携帯装置に特に好適である。
【図面の簡単な説明】
【０１２１】
【図１】本発明の実施の一形態における表示装置の構成を示す回路図である。
【図２】図２（ａ）は、図１に示した表示装置を備えている携帯電話機のカバー部を閉じた折畳状態を示す斜視図、図２（ｂ）は同携帯電話機のカバー部を開いた状態を示す斜視図である。
【図３】図２に示した携帯電話機におけるカバー部の要部を示す縦断面図である。
【図４】図１に示した表示装置におけるサブパネルを表示させる場合の動作を示すタイミングチャートである。
【図５】図１に示した表示装置におけるメインパネルを表示させる場合の動作を示すタイミングチャートである。
【図６】従来のツインパネル構成の液晶表示装置におけるサブパネルでの各画素電極への書き込み時間とメインパネルでの各画素電極への書き込み時間との関係を説明する波形図である。
【図７】図１に示したツインパネル構成の液晶表示装置におけるサブパネルでの各画素電極への書き込み時間とメインパネルでの各画素電極への書き込み時間との関係を説明する波形図である。
【図８】一般的な表示装置駆動回路の構成を示すブロック図である。
【図９】図９（ａ）は従来の液晶表示装置におけるサブパネルでの消費電力を示す説明図、図９（ｂ）は本実施の形態の液晶表示装置におけるサブパネルでの消費電力を示す説明図である。
【図１０】本発明の実施の他の形態における表示装置の概略構成を示す正面図である。
【図１１】図１０に示した表示装置の構成を示す回路図である。
【図１２】図１１に示したツインパネル構成の液晶表示装置におけるサブパネルでの各画素電極への書き込み時間とメインパネルでの各画素電極への書き込み時間との関係を説明する波形図である。
【図１３】図１１に示したスイッチングＴＦＴの他の例を示す回路図である。
【図１４】従来のツインパネル構成の表示装置を示す回路図である。
【符号の説明】
【０１２２】
1,2    液晶表示装置（表示装置）
10,100    サブパネル（第１の表示手段）
11,21    ＴＦＴ基板
13,113,123  ゲートドライバ(ゲート信号線駆動回路、表示駆動回路)
14,24    ゲートバスライン（ゲート信号線）
15,115    ソースドライバ（ソース信号線駆動回路、表示駆動回路）
16,28    ソースバスライン（ソース信号線）
１７    スイッチングＴＦＴ
１８    スイッチング制御信号線
１８ａ  第１のスイッチング制御信号線
１８ｂ  第２のスイッチング制御信号線
20,200    メインパネル（第２の表示手段）
２５    ＴＦＴ（スイッチング手段）
２６    液晶キャパシタ
２７    対向電極
３０    ＦＰＣ
４０    携帯電話機
４１    本体部（第１の筐体部）
４２    カバー部（第２の筐体部）
１１９    時分割駆動部（時分割駆動手段）
【図１】
2005258219.tif 000003
【図２】
2005258219.tif 000004
【図３】
2005258219.tif 000005
【図４】
2005258219.tif 000006
【図５】
2005258219.tif 000007
【図６】
2005258219.tif 000008
【図７】
2005258219.tif 000009
【図８】
2005258219.tif 000010
【図９】
2005258219.tif 000011
【図１０】
2005258219.tif 000012
【図１１】
2005258219.tif 000013
【図１２】
2005258219.tif 000014
【図１３】
2005258219.tif 000015
【図１４】
2005258219.tif 000016